【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
第１目像及び第２目像を有する立体像を表示面上に投射するディジタル立体投射システムであって、
対応する第１スペクトル帯及び第１中心波長を有する第１状態で輻射光を提供する動作並びに対応する第２スペクトル帯及び第２中心波長を有する第２状態で輻射光を提供する動作を交番的に実行するよう制御可能で、第１スペクトル帯と第２スペクトル帯との間に実質的に重複がない１個又は複数個の狭帯域固体可調光輻射器と、
可調輻射器からの光を変調することで変調像を生成する空間光変調器であって、それぞれ一群の可制御な空間光変調器画素を有するものを、１個又は複数個備える画像形成システムと、
可調光輻射器の状態及び空間光変調器画素を同期制御するコントローラであって、可調光輻射器が第１状態にあるとき第１像に係る画像データに従い空間光変調器画素を制御し第１目変調像をもたらす一方、可調光輻射器が第２状態にあるとき第２像に係る画像データに従い空間光変調器画素を制御し第２目変調像をもたらすコントローラと、
第１目変調像及び第２目変調像を表示面に供給する投射光学系と、
を備えるディジタル立体投射システム。
【請求項２】
請求項１記載のディジタル立体投射システムであって、第１状態で輻射光を提供するよう制御されている可調光輻射器を、対応する第１スペクトル帯内で輻射光の波長を変化させるよう制御すると共に、第２状態で輻射光を提供するよう制御されている可調光輻射器を、対応する第２スペクトル帯内で輻射光の波長を変化させるよう制御することで、スペックルを低減するディジタル立体投射システム。
【請求項３】
請求項１又は請求項２記載のディジタル立体投射システムであって、第１目像を白バランスさせるために第１白バランス動作、第２目像を白バランスさせるために第１白バランス動作と異なる第２白バランス動作を使用するシステムにおいて、その第１白バランス動作が赤色、緑色及び青色第１目スペクトル帯の輻射光向けに適しており、第２白バランス動作が赤色、緑色及び青色第２目スペクトル帯の輻射光向けに適しているディジタル立体投射システム。
【手続補正２】
【補正対象書類名】明細書
【補正対象項目名】０１４３
【補正方法】変更
【補正の内容】
【０１４３】
本発明について、表示スクリーン上に画像を投射するディジタル立体投射システムを例に説明してきたが、いわゆる当業者には自明な通り、本発明は投射を伴わない他種ディジタル立体表示システムにも適用することができる。例えば、ディジタル立体ソフトコピーディスプレイを用い、表示面に左目像及び右目像からなる立体像を直に形成することができる。ソフトコピーディスプレイとしては、本件技術分野で既知の様々な種類の表示技術、例えばＬＥＤディスプレイやＬＣＤディスプレイを使用することができる。なお、以下に本発明の構成の一例を付記として示す。
（付記１）
第１目像及び第２目像を有する立体像を表示面上に投射するディジタル立体投射システムであって、
対応する第１スペクトル帯及び第１中心波長を有する第１状態で輻射光を提供する動作並びに対応する第２スペクトル帯及び第２中心波長を有する第２状態で輻射光を提供する動作を交番的に実行するよう制御可能で、第１スペクトル帯と第２スペクトル帯との間に実質的に重複がない１個又は複数個の狭帯域固体可調光輻射器と、
可調輻射器からの光を変調することで変調像を生成する空間光変調器であって、それぞれ一群の可制御な空間光変調器画素を有するものを、１個又は複数個備える画像形成システムと、
可調光輻射器の状態及び空間光変調器画素を同期制御するコントローラであって、可調光輻射器が第１状態にあるとき第１像に係る画像データに従い空間光変調器画素を制御し第１目変調像をもたらす一方、可調光輻射器が第２状態にあるとき第２像に係る画像データに従い空間光変調器画素を制御し第２目変調像をもたらすコントローラと、
第１目変調像及び第２目変調像を表示面に供給する投射光学系と、
を備えるディジタル立体投射システム。
（付記２）
付記１記載のディジタル立体投射システムであって、その可調光輻射器のうち１個又は複数個が可調レーザであるディジタル立体投射システム。
（付記３）
付記２記載のディジタル立体投射システムであって、その可調レーザがＭＥＭＳ可調制御手段を有するディジタル立体投射システム。
（付記４）
付記２記載のディジタル立体投射システムであって、その可調レーザが量子ドットを有するディジタル立体投射システム。
（付記５）
付記２記載のディジタル立体投射システムであって、その可調レーザがバイステーブルレーザであるディジタル立体投射システム。
（付記６）
付記５記載のディジタル立体投射システムであって、そのバイステーブル可調レーザが電流注入レベル又は電圧レベルの調整によりチューニングされるディジタル立体投射システム。
（付記７）
付記１記載のディジタル立体投射システムであって、その可調光輻射器のうち１個又は複数個が可調ＬＥＤであるディジタル立体投射システム。
（付記８）
付記１記載のディジタル立体投射システムであって、第１状態で輻射光を提供するよう制御されている可調光輻射器を、対応する第１スペクトル帯内で輻射光の波長を変化させるよう制御すると共に、第２状態で輻射光を提供するよう制御されている可調光輻射器を、対応する第２スペクトル帯内で輻射光の波長を変化させるよう制御することで、スペックルを低減するディジタル立体投射システム。
（付記９）
付記１記載のディジタル立体投射システムであって、第１スペクトル帯及び第２スペクトル帯それぞれの半値全幅帯域幅が１５ｎｍ未満であるディジタル立体投射システム。
（付記１０）
付記１記載のディジタル立体投射システムであって、第１スペクトル帯及び第２スペクトル帯が、共に、赤色スペクトル帯、緑色スペクトル帯又は青色スペクトル帯に属するディジタル立体投射システム。
（付記１１）
付記１記載のディジタル立体投射システムであって、その狭帯域固体可調光輻射器が、
対応する第１赤色スペクトル帯を有する第１状態で輻射光を提供する動作並びに対応する第２赤色スペクトル帯を有する第２状態で輻射光を提供する動作を交番的に実行するよう制御可能な赤色可調光輻射器と、
対応する第１緑色スペクトル帯を有する第１状態で輻射光を提供する動作並びに対応する第２緑色スペクトル帯を有する第２状態で輻射光を提供する動作を交番的に実行するよう制御可能な緑色可調光輻射器と、
対応する第１青色スペクトル帯を有する第１状態で輻射光を提供する動作並びに対応する第２青色スペクトル帯を有する第２状態で輻射光を提供する動作を交番的に実行するよう制御可能な青色可調光輻射器と、
を備え、第１状態で輻射するよう赤色、緑色及び青色可調光輻射器を制御することにより第１目変調像を発生させる一方、第２状態で輻射するよう赤色、緑色及び青色可調光輻射器を制御することにより第２目変調像を発生させるディジタル立体投射システム。
（付記１２）
付記１１記載のディジタル立体投射システムであって、その画像形成システムが、それぞれ赤色、緑色及び青色可調光輻射器に１個ずつ対応して都合３個の空間光変調器を有するディジタル立体投射システム。
（付記１３）
付記１２記載のディジタル立体投射システムであって、更に、投射光学系により表示面上に投射する際の共通光軸上に３個の空間光変調器からもたらされる光を結合するビーム結合系を備えるディジタル立体投射システム。
（付記１４）
付記１１記載のディジタル立体投射システムであって、第１目像を白バランスさせるために第１白バランス動作、第２目像を白バランスさせるために第１白バランス動作と異なる第２白バランス動作を使用するシステムにおいて、その第１白バランス動作が赤色、緑色及び青色第１目スペクトル帯の輻射光向けに適しており、第２白バランス動作が赤色、緑色及び青色第２目スペクトル帯の輻射光向けに適しているディジタル立体投射システム。
（付記１５）
付記１１記載のディジタル立体投射システムであって、第１目像に係るディジタル画像データを変換するために第１色補正変換、第２目像に係るディジタル画像データを変換するために第１色補正変換と異なる第２色補正変換を使用するシステムにおいて、その第１色補正変換が赤色、緑色及び青色第１目スペクトル帯の輻射光向けに適しており、第２色補正変換が赤色、緑色及び青色第２目スペクトル帯の輻射光向けに適しているディジタル立体投射システム。
（付記１６）
付記１記載のディジタル立体投射システムであって、更に、
第１状態で光を輻射するよう１個又は複数個の可変光輻射器が制御されているときその可変光輻射器からの光のうち５０％超を透過させる一方、第２状態で光を輻射するよう１個又は複数個の可変光輻射器が制御されているときその可変光輻射器からの光のうち５％未満を透過させる第１目フィルタと、
第２状態で光を輻射するよう１個又は複数個の可変光輻射器が制御されているときその可変光輻射器からの光のうち５０％超を透過させる一方、第１状態で光を輻射するよう１個又は複数個の可変光輻射器が制御されているときその可変光輻射器からの光のうち５％未満を透過させる第２目フィルタと、
第１目フィルタが看者の第１目の面前に位置すると共に第２目フィルタが看者の第２目の面前に位置することとなるよう第１目フィルタ及び第２目フィルタが実装されるフレームと、
を有するフィルタ眼鏡を備えるディジタル立体投射システム。
（付記１７）
第１目像及び第２目像を有する立体像を表示面上に表示させるディジタル立体表示システムであって、
対応する第１スペクトル帯及び第１中心波長を有する第１状態で輻射光を提供する動作並びに対応する第２スペクトル帯及び第２中心波長を有する第２状態で輻射光を提供する動作を交番的に実行するよう制御可能で、第１スペクトル帯と第２スペクトル帯との間に実質的に重複がない１個又は複数個の狭帯域固体可調光輻射器と、
可調輻射器から来る光の強度を変調させることで表示面上に表示像を生成する一群の可制御画素を有する画像表示システムと、
可調光輻射器の状態及び可制御画素を同期制御するコントローラであって、可調光輻射器が第１状態にあるとき第１像に係る画像データに従い可制御画素を制御し第１目変調像をもたらす一方、可調光輻射器が第２状態にあるとき第２像に係る画像データに従い可制御画素を制御し第２目変調像をもたらすコントローラと、
を備えるディジタル立体表示システム。
（付記１８）
付記１７記載のディジタル立体表示システムであって、ディジタル立体投射システムであるディジタル立体表示システム。
（付記１９）
付記１７記載のディジタル立体表示システムであって、ディジタル立体ソフトコピー表示システムであるディジタル立体表示システム。